(57)【要約】【課題】  貯湯タンクの温度上昇を抑えることができ、洗浄槽との簡単な接続構造でも水漏れを起こすことがないなど、貯湯タンクの安全性を向上することができる食器洗浄機を得る。【解決手段】  水の加熱手段１２を内部に備え、食器類の洗浄用温水または乾燥用温風を洗浄槽２０に供給する貯湯タンク１０をこの洗浄槽２０の外部に配置した食器洗浄機において、貯湯タンク１０を樹脂製の外部タンク１と金属製の内部タンク２とから構成する。また、外部タンク１と内部タンク２の間に空気層または断熱材を設ける。【選択図】        図１
2005334133.tif 000002
【特許請求の範囲】
【請求項１】
水の加熱手段を内部に備え、食器類の洗浄用温水または乾燥用温風を洗浄槽に供給する貯湯タンクをこの洗浄槽の外部に配置した食器洗浄機において、
前記貯湯タンクが樹脂製の外部タンクと金属製の内部タンクとからなることを特徴とする食器洗浄機。
【請求項２】
前記外部タンクと前記内部タンクの間に断熱材または空気層を設けたことを特徴とする請求項１記載の食器洗浄機。
【請求項３】
前記外部タンクは、隔壁により貯湯エリアと給湯／送風エリアに区画され、前記貯湯エリアに前記内部タンクが収容され、前記給湯／送風エリアを介して前記洗浄槽に通じる給湯手段及び送風手段を設けたことを特徴とする請求項１または２記載の食器洗浄機。
【請求項４】
前記貯湯タンクは、前記内部タンク内の設定水位を検出する水位検知手段と、前記加熱手段により加熱された水の温度を検出する温度検知手段を備えたことを特徴とする請求項１乃至３のいずれかに記載の食器洗浄機。
【請求項５】
前記貯湯タンクの上端部にシール部材を介して取り付けられる蓋を備え、この蓋に前記加熱手段、前記水位検知手段、前記温度検知手段を垂下して取り付けてなることを特徴とする請求項４記載の食器洗浄機。
【請求項６】
前記蓋上に送風手段を備え、この蓋と前記隔壁の間の隙間を通って温風を前記給湯／送風エリアに吹き込む構成となっていることを特徴とする請求項３または５記載の食器洗浄機。
【発明の詳細な説明】
【技術分野】
【０００１】
本発明は、主に家庭用の食器洗浄機に関し、特に食器洗浄機の洗浄槽の外部に配置される貯湯タンクの構造に関する。
【背景技術】
【０００２】
従来、食器洗浄機において、食器類を洗浄する洗浄槽の内部や洗浄水の循環径路中にヒーター等の加熱手段を設けると、箸などの小物類が食器かごから落ちて焦げたりし、あるいは残滓物の混ざった洗浄水が加熱手段を通過することで乾燥時に異臭を発生するなどの問題があることなどから、洗浄水の加熱手段を有する加熱タンクすなわち貯湯タンクと、食器類の洗浄を行う洗浄槽とを別体に構成し、貯湯タンクを洗浄槽の外部に設けたものがある（例えば、特許文献１参照）。
【０００３】
【特許文献１】実開平３−３４４５９号公報（第５−第７頁、第１図、第２図）
【発明の開示】
【発明が解決しようとする課題】
【０００４】
しかし、従来の貯湯タンクは金属材料で構成されており、タンク内部に設けられたヒーターにより水を高温に加熱するものであるため、貯湯タンクの熱膨張や収縮による熱変形によりヒーターの取付部や給湯管の接続部等から水漏れを起こすことがあり、水漏れを防ぐためにはシールを厳重にする必要があった。
また、金属製タンクの場合にはヒーターから漏電を生じないようその取付部の耐食性処理及び絶縁処理を厳重にする必要があった。
さらに、タンク表面温度が高くなるため、タンク近傍の周囲温度が上がり熱気がこもったりして不快感をもたらすなどの問題があった。
【０００５】
本発明は、上記のような問題点に鑑みてなされたものであり、貯湯タンクの温度上昇を抑えることができ、洗浄槽との簡単な接続構造でも水漏れを起こすことがないなど、貯湯タンクの安全性を向上することができる食器洗浄機を得ることを目的とする。
また、本発明は、台所周辺に熱気がこもることがなく、しかも安価で、使い勝手のよい食器洗浄機を得ることを目的とする。
【課題を解決するための手段】
【０００６】
本発明に係る食器洗浄機は、水の加熱手段を内部に備え、食器類の洗浄用温水または乾燥用温風を洗浄槽に供給する貯湯タンクをこの洗浄槽の外部に配置した食器洗浄機において、
前記貯湯タンクを樹脂製の外部タンクと金属製の内部タンクとから構成したものである。
【発明の効果】
【０００７】
本発明によれば、貯湯タンクを樹脂製の外部タンクと金属製の内部タンクとから構成したので、樹脂製の外部タンクの温度が高くならないため、給湯管の接続部やヒーターの取付部等の構造を簡単にできるとともに、水漏れやヒーターからの漏電のおそれもなく、貯湯タンクの安全性が向上する効果がある。
【発明を実施するための最良の形態】
【０００８】
実施の形態１．
図１は本発明の実施の形態１を示す食器洗浄機の貯湯タンクの断面正面図、図２は貯湯タンクの断面側面図、図３は貯湯タンクの取付状態を示す側面図である。
この食器洗浄機は、図３に示すように、例えばキッチンシステムの流し台に組み込まれて引き出し式に出し入れできるように構成されたものであり、この食器洗浄機の洗浄槽２０の正面に貯湯タンク１０がネジ（図示せず）で取り付けられている。なお、図３では、洗浄槽２０は図示しない箱状の機体から引き出されている状態を示している。
【０００９】
貯湯タンク１０の本体部分は、図１に示すように、例えばポリプロピレン、エポキシ樹脂、ＡＢＳ樹脂等からなる樹脂製の外部タンク１と、例えばステンレス、アルミニウム、銅等からなる金属製の内部タンク２とから構成されている。樹脂製の外部タンク１は隔壁３により２つのエリアに区画され、一方の貯湯エリア４ａに金属製の内部タンク２が遊嵌するごとくゆるく収められている。他方のエリアは後述のように給湯または送風のための給湯／送風エリア４ｂとなっている。
樹脂製の外部タンク１の上部開口部は、後で詳しく説明するが、樹脂製の蓋５をシール部材６を介して蓋固定手段７により取り付けて気密に密閉する構成となっている。
【００１０】
上記貯湯タンク１０は、金属製の内部タンク２に給水するための給水手段１１、給水された水を加熱するための加熱手段１２、洗浄槽２０に食器洗浄用の温水を供給するための給湯手段１３、洗浄槽２０に食器乾燥用の温風を送風するための送風手段１４、内部タンク２内の水の設定水位１００を検出するための水位検知手段１５、内部タンク２内の水の温度を検出するための温度検知手段１６、及び安全策としての温度過昇防止手段１７を備えている。以下、これらの各手段についてさらに詳細に説明する。
【００１１】
給水手段１１は、水道管に接続された給水管１１１を例えば電磁弁からなる給水弁１１２を介して上記外部タンク１の蓋５に接続する構成となっている。
【００１２】
加熱手段１２は、例えばシーズヒーターからなるものであり、ヒーター１２１は蓋５に取り付けられ、発熱部１２２は設定水位１００以下となるように設置される。
【００１３】
給湯手段１３は、樹脂製の外部タンク１の底部に設けられた取水口１３１と上記給湯／送風エリア４ｂ上に対応する位置において蓋５に設けられた送水口１３２とを給湯ポンプ１３３を介して接続する給湯管１３４と、給湯／送風エリア４ｂの底部に設けられた取出口１３５と洗浄槽２０とを接続する給湯／送風管１３６とから構成されている。また、金属製の内部タンク２の底部にも取水口１３１に連通する穴１３７が設けられている。なお、外部タンク１、内部タンク２の底面はそれぞれの取水口１３１、穴１３７に向けて傾斜するように形成されている。
【００１４】
送風手段１４は、蓋５上に設置され、貯湯タンク１０内部に送風する送風機１４１により構成されている。温風は蓋５と隔壁３の間の隙間を通って給湯／送風エリア４ｂに入り、その底部に接続された給湯／送風管１３６を通じて洗浄槽２０内に送風される。
このように、給湯／送風エリア４ｂを介して給湯手段１３及び送風手段１４が洗浄槽２０に通じるように設けられている。
【００１５】
水位検知手段１５は、例えばフロート式のリードスイッチからなる水位センサを備えたものであり、磁気反応素子（図示せず）を内蔵し蓋５より垂設された逆Ｔ字状の浮子ガイド部材１５１と、磁石（図示せず）を内蔵し浮子ガイド部材１５１に遊嵌された浮子１５２とから構成されている。浮子１５２に内蔵された磁石が浮子ガイド部材１５１に内蔵された磁気反応素子と同一レベルになったときに、設定水位１００を検出するようになっている。
【００１６】
温度検知手段１６は、例えば蓋５より垂設された棒状部材１６１の先端部（下端部）にサーミスタ等の温度センサ（図示せず）を内蔵したものである。
【００１７】
温度過昇防止手段１７は、例えばヒーター１２１の上部に取り付けられた温度ヒューズ１７１により構成されている。貯湯タンク１０内の水温の異常温度は、まず、温度検知手段１６により検出するが、それ以上に温度が上昇したときには温度ヒューズ１７１が溶断することで食器洗浄機の運転を停止させることにしている。万が一の安全対策として温度過昇防止手段１７が設けられている。
【００１８】
図３に一部を示した洗浄槽２０は、その構成要素の図示は省略するが、食器類を載置する食器かご、食器類に向けて洗浄用温水を噴射する洗浄ノズル、湯だまり部の洗浄用温水を洗浄ノズルから噴射させる洗浄ポンプ、洗浄後の処理水を機外に排出する排水管、排水ポンプ等の排水手段などを備えている。なお、前述の給湯／送風管１３６の一端は、この例では図３に示すように、洗浄槽２０の前面側の壁面に接続されており、貯湯タンク１０の洗浄用温水は洗浄槽２０の前面壁に設けられた接続口２１から給湯され、内部の湯だまり部に所定量の温水が溜まるようになっている。そして、この湯だまり部に溜められた洗浄用温水を洗浄手段の洗浄ポンプで洗浄ノズルに圧送し噴射させることにより食器類の洗浄及びすすぎ洗いを行う。
【００１９】
ここで、この食器洗浄機の動作を説明する。食器類は、洗浄工程、すすぎ工程、及び乾燥工程を経て洗浄を終了するが、その前に、貯湯タンク１０に所定温度の洗浄用温水を貯める貯湯工程がある。
【００２０】
（１）貯湯工程
食器類の洗浄を実施する前の準備段階として貯湯工程が実施される。貯湯工程では、まず、貯湯タンク１０に給水を開始する。すなわち、給水弁１１２を開いて水道水を給水管１１１を通して貯湯タンク１０上部の蓋５より注水する。金属製の内部タンク２内の水位が上がり、設定水位１００になると、水位検知手段１２が作動し電磁弁からなる給水弁１１２を閉じる。したがって、水位検知手段１２によって常に一定量の洗浄水を内部タンク２に貯留することができる。
次に、内部タンク２内に挿入された加熱手段１２のヒーター１２１により、内部タンク２内の水を高温（例えば、８０℃）に加熱する。水の温度は温度検知手段１６によって検知することができる。また、ヒーター１２１の通電をオン・オフ制御することで水温を所定の温度範囲に保つことができる。
以上により、貯湯タンク１０に所定温度の洗浄用温水を貯める貯湯工程が終了する。
【００２１】
（２）洗浄工程
食器類の洗浄にあたって、まず、貯湯タンク１０内の洗浄用温水を給湯ポンプ１３３により内部タンク２の穴１３７及び外部タンク１の取水口１３１から抜き取り、給湯管１３４を通して樹脂製の外部タンク１の給湯／送風エリア４ｂに送入する。すると、洗浄用温水は給湯／送風エリア４ｂの底部に設けられた取出口１３５より給湯／送風管１３６を自然流下して洗浄槽２０内に入り、図示しない湯だまり部に溜められる。所定量の温水が溜まったとき給湯ポンプ１３３の運転を停止し、ついで図示しない洗浄ポンプを作動して上記のように洗浄ノズルから洗浄用温水を噴射させて食器類の（本）洗浄を行う。
【００２２】
（３）すすぎ工程
上記の洗浄工程が終わると次にすすぎ工程に移行する。すすぎ工程では、一旦洗浄後の水を排水ポンプ（図示せず）で湯だまり部から機外に排出する。排水後、再び上記のように貯湯タンク１０から湯だまり部に洗浄用温水を送り、その後、洗浄ポンプで洗浄ノズルから噴射させて食器類のすすぎ洗いを行う。すすぎ洗いは少なくとも１回、あるいは貯湯タンク１０内の洗浄用温水がなくなるまで複数回行う。すすぎ洗い後はすすぎに使った水を排水ポンプで排出する。また、貯湯タンク１０内の洗浄用温水を全部機外に排水する。なお、排水ポンプは洗浄ポンプで兼用することもある。
【００２３】
なお、貯湯タンク１０内の一定の湯量を洗浄とすすぎ洗いに小分けして使う場合と、それぞれの工程で全部を使い切る場合とがあり、いずれの場合でもよい。但し、後者の場合には、洗浄を行っている間に、すすぎ用の水を再度貯湯タンク１０に供給して貯め、所定の湯温に加熱するものである。すすぎ用の温度は洗浄用の温度と変更することができる。
【００２４】
（４）乾燥工程
上記のすすぎ工程が終わると次に乾燥工程に移行する。乾燥工程では、貯湯タンク１０を空にし、ヒーター１２１への通電量を低くして温度を下げ、送風機１４１により蓋５から貯湯タンク１０内に送風を開始する。ヒーター１２１により暖められた温風は蓋５と隔壁３の間の隙間を通り上記給湯／送風エリア４ｂに入る。すると、温風は給湯／送風エリア４ｂの底部に設けられた取出口１３５より給湯／送風管１３６を通って洗浄槽２０内に入り、食器間の隙間を下方から上方へ通過したのち洗浄槽２０外へ排出される。このように、貯湯タンク１０内で適温に暖められた温風を所定時間洗浄槽２０内に送入することによって、すすぎ洗い後の食器類を短時間に乾燥させることができる。
以上により、食器類の（本）洗浄、すすぎ洗い、及び乾燥が終了する。
【００２５】
本実施の形態１によれば、貯湯タンク１０を樹脂製の外部タンク１と金属製の内部タンク２とから構成したので、外部タンク１の温度の上昇を抑えることができ表面温度は高くならない。そのため、給湯管１３４の外部タンク１との接続部におけるシール構造を、例えばゴムチューブを用いることなどで簡単に構成することができ、水漏れは生じないうえにコスト低減が可能となる。また、外部タンク１の温度の上昇を抑えることができるので、周囲温度が上がることがなく、台所周辺に熱気がこもったりすることがないため不快感を生じさせない。さらに、貯湯タンク１０の表面温度が上がらないため、またヒーター１２１は絶縁性の蓋５に取り付けられているので、特別な絶縁処理や耐食性処理をする必要もなく漏電のおそれもないため、貯湯タンク１０の安全性が向上する。また、貯湯タンク１０の取付位置の制約がなくなり任意の位置に取り付けが可能となる。
よって、安価で、使い勝手のよい食器洗浄機を提供することができる。
【００２６】
実施の形態２．
次に、本発明の実施の形態２による食器洗浄機の貯湯タンクを図４から図６に示す。図４はこの貯湯タンクの断面正面図、図５は断面側面図である。また、図６（Ａ）〜（Ｃ）は貯湯タンクの断面平面図で、ここでは３つの構成例が示してある。
【００２７】
本実施の形態２では、貯湯タンク１０を樹脂製の外部タンク１と金属製の内部タンク２とから構成するとともに、この外部タンク１と内部タンク２の間に断熱材８ａまたは空気層８ｂを設けたものである。その他の構成は実施の形態１と同じであるので、同一部品または相当品には同一符号を付して説明は省略する。以降の実施の形態についても特に断らない限り同一部品または相当品には同一の符号を用いる。
【００２８】
図６において、（Ａ）は外部タンク１と内部タンク２の間に空気層８ｂを設けた場合、（Ｂ）は外部タンク１と内部タンク２の間に断熱材８ａを設けた場合、（Ｃ）は外部タンク１の内面に縦方向に凹凸条を形成し、その凹条の空間８ｃに空気または水を介在させた場合を示している。
【００２９】
本実施の形態２によれば、外部タンク１と内部タンク２の間に断熱材８ａまたは空気層８ｂを設けることにより、樹脂製の外部タンク１への伝熱をより効果的に遮断することができるので、実施の形態１の効果をより有効に発揮させることができる。
【００３０】
実施の形態３．
次に、図７は本発明の実施の形態３による食器洗浄機の貯湯タンクの断面正面図で、図８はその貯湯タンクの断面側面図である。
貯湯タンク１０の基本的な構成は実施の形態１と同様である。すなわち、貯湯タンク１０は樹脂製の外部タンク１と金属製の内部タンク２とからなる。但し、本実施の形態３では、貯湯タンク１０の下部を底面に向かって左右及び奥行きの幅が狭くなるように周囲の側壁を傾斜させたものである。つまり、貯湯タンク１０の下部の面積（横断面積）が上部よりも小さくなるように下部の壁面を傾斜させたものである。なお、傾斜面は少なくとも図８のように奥行きの幅が狭くなるように設ければよく、必ずしも全面を傾斜させる必要はない。また、貯湯タンク１０の下部を湾曲状に形成してもよい。
【００３１】
ヒーター１２１のループ状に形成された発熱部１２２の最も下に位置する発熱部分（最下位発熱部分）１２２ａより下の水は湯にならず水のままである。したがって、金属製の内部タンク２の壁体には、この最下位発熱部分１２２ａを境として上下に湯に接する高温部分と水に接する低温部分とに分かれる温度分布が上下方向に生じる。そこで、この加熱されない水のままの部分（非加熱水）をなるべく少なくするために、本実施の形態３のように貯湯タンク１０の下部を面積が小さくなるように傾斜もしくは湾曲させる。また、貯湯タンク１０の下部を傾斜もしくは湾曲させることによって、図８に矢印で示すように傾斜面あるいは湾曲面に沿って水の対流が生じるので、最下位発熱部分１２２ａより下の水の部分が少なくなる効果（非加熱水の減少効果）もある。
【００３２】
実施の形態４．
次に、図９は本発明の実施の形態４による食器洗浄機の貯湯タンクの断面正面図で、図１０はその貯湯タンクの断面側面図である。
本実施の形態４は、上述の実施の形態２と３を組み合わせたものであり、樹脂製の外部タンク１と金属製の内部タンク２の間に空気層または断熱材８を設けるとともに、貯湯タンク１０の下部を面積が小さくなるように傾斜（または湾曲）させたものである。
したがって、本実施の形態４によれば、実施の形態２による貯湯タンク１０の断熱効果と実施の形態３による非加熱水の減少効果を併せ持つ。
【００３３】
実施の形態５．
次に、図１１は本発明の実施の形態５による食器洗浄機の貯湯タンクの断面正面図で、図１２はその貯湯タンクの断面側面図である。
本実施の形態５は、ヒーター１２１の発熱部１２２を全体もしくは少なくとも大部分を筒状部材１８で囲む構成としたものである。
この筒状部材１８でヒーター１２１の発熱部１２２を包囲することにより、水の加熱時、図１２に矢印で示すように、筒状部材１８内において、加熱された水が上昇し、周囲の水がタンク底部より筒状部材１８内に進入するという水の対流が生じる。したがって、このような水の対流を筒状部材１８を設けることにより積極的に起こさせることによって、貯湯タンク１０内の水を均一に加熱することができ、かつ前述のように金属製の内部タンク２の壁体に発生する上下方向の温度分布を均一化し、樹脂製の外部タンク１の熱応力を軽減させることができる。また、本実施の形態５によれば、実施の形態４の場合と異なり非加熱水がなくなる効果もある。
さらに、本実施の形態５によれば、実施の形態３のように貯湯タンク１０の下部を面積が小さくなるように傾斜もしくは湾曲させる必要はないので、貯湯タンク１０の容量を実施の形態３のものよりも多くすることができる。
【００３４】
なお、筒状部材すなわち対流発生用の筒状部材１８の取付方法は図示していないが、水が筒状部材１８の下方から進入するようにするには、筒状部材１８をタンク底面より若干浮かせて取り付けるか、もしくは筒状部材１８の下端に切欠き部を設けるなどの手段を講じればよい。
【００３５】
実施の形態６．
図１３は本発明の実施の形態６による食器洗浄機の貯湯タンクの断面正面図である。
本実施の形態６は、特に貯湯タンク１０における温度検知手段１６の取付位置に関するものである。
温度検知手段１６は、以上の実施の形態１乃至５でも示したように、貯湯タンク１０の蓋５より金属製の内部タンク２内に垂下される。但し、下端の温度検出部１６２はヒーターの最下位の発熱部分１２２ａよりも常に上方に位置するように設置する。この設置条件を満たす限り、温度検知手段１６をどこに取り付けてもよい。例えば、図１３に示すように、ヒーター１２１の口出し部１２３の間に温度検知手段１６を設置してもよい。
【００３６】
実施の形態７．
図１４は貯湯タンク１０における温度検知手段１６の別の取付例を示すものである。
この例は、温度検知手段１６を貯湯タンク１０内に水平に設置したものである。但し、設置位置はヒーターの最下位の発熱部分１２２ａよりも上方の位置である。
このように、温度検知手段１６を貯湯タンク１０内に水平に設置しても、貯湯タンク１０が樹脂製の外部タンク１と金属製の内部タンク２で構成されているため、温度検知手段１６の取付部のシール構造を、例えばパテを用いることなどにより比較的簡単に構成することができ、かつ外部に漏水することはない。
【００３７】
実施の形態８．
図１５は本発明の実施の形態８による食器洗浄機の貯湯タンクの蓋部の上面図、図１６はその蓋部の正面図である。また、図１７及び図１８は蓋の取付方法を示す断面側面図と上面図である。
貯湯タンク１０の蓋は湯気を漏出させない密閉構造であれば、どのような構成でもよいが、例えば、パッキンを介してネジ止めする構造でもよいが、貯湯タンク１０の外部タンク１が樹脂製であることから、多少なりとも成形による変形が生じる。すなわち、外部タンク１の上端部は鼓状に変形する。このような成形上の変形は避けられないものであり、したがって、かかる変形を別の方法で拘束することとしたものである。
【００３８】
本実施の形態８は、蓋固定手段７として半割状に構成された１組の蓋固定具７ａ、７ｂ及びシール部材６により蓋５を気密に取り付けるものである。蓋５の下面には外部タンク１の上端開口内面に挿入する矩形状の挿入部５ａが形成されている。また、蓋５には前述の給水管１１１の接続部や給湯管１３４の接続部、ヒーター１２１の取付穴、水位検出手段１５及び温度検知手段１６の取付穴、送風機１４１の送風口等が形成されている。なお、蓋５及び蓋固定具７ａ、７ｂはいずれも樹脂製であるが、特に樹脂製のものに限定はされない。また、ヒーター１２１や水位検出手段１５、温度検知手段１６は圧入などの手段で簡単に蓋５に取り付けることができる。
【００３９】
蓋５の取付構造及び取付方法を図１５乃至図１８に基づいて説明する。蓋５の上面及び箱形の外部タンク１の上端部側面（ここでは長辺側の面）にそれぞれ複数の突起７１ａ、７１ｂを設ける。一方、蓋固定具７ａ、７ｂは断面がアングル状に形成され、その水平辺部７ｃ及び垂直辺部７ｄにはそれぞれ上記突起７１ａ、７１ｂと係合させる穴７２ａ、７２ｂを設ける。穴７２の大きさは突起７１よりも大きめにつくる。また、水平辺部７ｃのコーナ部には切れ目７ｅを設けて取り付けを容易にすることが好ましい。垂直辺部７ｄの左右両側にはネジ７３の取付片７ｆを設ける。
【００４０】
蓋５を外部タンク１に取り付けるには、まず、図１７（Ａ）に示すように、シール部材６を蓋５の挿入部５ａの外周部に装着し、その蓋５の挿入部５ａを外部タンク１の上端開口部に嵌合する。
次に、図１７（Ｂ）、図１８（Ａ）に示すように、まず、蓋５の上面に設けた突起７１ａに蓋固定具７ａ、７ｂの水平辺部７ｃに設けた穴７２ａを入れ、蓋５を押し付けて垂直辺部７ｄに設けた穴７２ｂを外部タンク１の上端部側面に設けた突起７１ｂに引っ掛けて係合させる。これによって、シール部材６は締め代分だけ外部タンク１の上端面に圧接される。
最後に、図１７（Ｃ）、図１８（Ｂ）に示すように、蓋固定具７ａ、７ｂの左右の取付片７ｆ同士をネジ７３で締め込んでいき、垂直辺部７ｄを外部タンク１の上端部側面に密着させる。
【００４１】
以上のように、本実施の形態８によれば、シール部材６を外部タンク１の上端面全周に圧接した状態で、半割状の蓋固定具７ａ、７ｂにより、蓋５と外部タンク１を両側から挟んで固定するものであるので、外部タンク１に成形上の変形が生じてもその変形を簡単に拘束することができ、蓋５の取付が容易であるとともに、外部タンク１の上端開口部を均一にシールし密閉することができる。
【００４２】
実施の形態９．
図１９は本発明の実施の形態９による食器洗浄機の貯湯タンクの側面図である。
本実施の形態９は、例えば、貯湯タンク１０の側面に食器洗浄機の制御基板３０を設けたものである。図１９において、３１は電子部品、３２は支持部材である。
前述のように、貯湯タンク１０は樹脂製の外部タンク１と金属製の内部タンク２からなり、樹脂製の外部タンク１の表面温度は高くならないため、熱に弱い電子部品３１等を搭載した制御基板３０を外部タンク１に取り付けることができる。
【００４３】
以上に述べた各実施の形態の食器洗浄機は、流し台の下方に組み込まれ食器類を引き出し式に出し入れして使用する引き出し方式のものについて説明したが、本発明はこれに限らず、流し台上に置いて使用される卓上式や、同じ組み込み式であっても流し台に設けられた蓋を上下に開閉して使用するトップオープン式と称されるものについても同様に適用することができるものである。
【図面の簡単な説明】
【００４４】
【図１】本発明の実施の形態１による食器洗浄機の貯湯タンクの断面正面図。
【図２】図１の貯湯タンクの断面側面図。
【図３】図１の貯湯タンクの取付状態を示す側面図。
【図４】本発明の実施の形態２による食器洗浄機の貯湯タンクの断面正面図。
【図５】図４の貯湯タンクの断面側面図。
【図６】図４の貯湯タンクの断面平面図。
【図７】本発明の実施の形態３による食器洗浄機の貯湯タンクの断面正面図。
【図８】図７の貯湯タンクの断面側面図。
【図９】本発明の実施の形態４による貯湯タンクの断面正面図。
【図１０】図９の貯湯タンクの断面側面図。
【図１１】本発明の実施の形態５による食器洗浄機の貯湯タンクの断面正面図。
【図１２】図１１の貯湯タンクの断面側面図。
【図１３】本発明の実施の形態６による食器洗浄機の貯湯タンクの断面正面図。
【図１４】本発明の実施の形態７による食器洗浄機の貯湯タンクの断面正面図。
【図１５】本発明の実施の形態８による食器洗浄機の貯湯タンクの蓋部の上面図。
【図１６】図１５の貯湯タンクの蓋部の正面図。
【図１７】図１５の貯湯タンクの蓋の取付方法を示す断面側面図。
【図１８】図１５の貯湯タンクの蓋の取付方法を示す上面図。
【図１９】本発明の実施の形態９による食器洗浄機の貯湯タンクの側面図。
【符号の説明】
【００４５】
１  外部タンク、２  内部タンク、３  隔壁、４ａ  貯湯エリア、４ｂ  給湯／送風エリア、５  蓋、５ａ  挿入部、６  シール部材、７  蓋固定手段、７ａ、７ｂ  蓋固定具、７ｃ  水平辺部、７ｄ  垂直辺部、７ｅ  切れ目、７ｆ  取付片、８ａ  断熱材、８ｂ  空気層、８ｃ  空間、１０  貯湯タンク、１１  給水手段、１２  加熱手段、１３  給湯手段、１４  送風手段、１５  水位検知手段、１６  温度検知手段、１７  温度過昇防止手段、１８  筒状部材、２０  洗浄槽、２１  接続口、３０  制御基板、３１  電子部品、３２  支持部材、７１ａ、７１ｂ  突起、７２ａ、７２ｂ  穴、７３  ネジ、１００  設定水位、１１１  給水管、１１２  給水弁、１２１  ヒーター、１２２  発熱部、１２２ａ  最下位発熱部分、１２３  口出し部、１３１  取水口、１３２  送水口、１３３  給湯ポンプ、１３４  給湯管、１３５  取出口、１３６  給湯／送風管、１３７  穴、１４１  送風機、１５１  浮子ガイド部材、１５２  浮子、１６１  棒状部材、１６２  温度検出部、１７１  温度ヒューズ。
【図１】
2005334133.tif 000003
【図２】
2005334133.tif 000004
【図３】
2005334133.tif 000005
【図４】
2005334133.tif 000006
【図５】
2005334133.tif 000007
【図６】
2005334133.tif 000008
【図７】
2005334133.tif 000009
【図８】
2005334133.tif 000010
【図９】
2005334133.tif 000011
【図１０】
2005334133.tif 000012
【図１１】
2005334133.tif 000013
【図１２】
2005334133.tif 000014
【図１３】
2005334133.tif 000015
【図１４】
2005334133.tif 000016
【図１５】
2005334133.tif 000017
【図１６】
2005334133.tif 000018
【図１７】
2005334133.tif 000019
【図１８】
2005334133.tif 000020
【図１９】
2005334133.tif 000021